(57)【要約】【課題】比較的単純な操作によって自動的に時刻調整が可能な電子時計を提供する。【解決手段】電子時計１０は、発振子１１を有し、該発振子の電気信号から内部パルス信号を生成する発振回路１２と、該発振回路からの内部パルス信号に基づいて時刻を表示部１５に表示させるための時計回路１３と、外部から入力される基準パルス信号と内部パルス信号との比較により両者の差分を算出する比較回路１４と、該比較回路により得られた前記差分から時計回路１３の時間誤差を算出する演算回路１６と、該演算回路により得られた時間誤差に基づいて定期的に時刻を修正すべく時計回路１３を動作させる補正回路１７とを備える。【選択図】  図１
2004347457.tif 000002
【特許請求の範囲】
【請求項１】
発振子を有し、該発振子の電気信号から内部パルス信号を生成する発振回路と、該発振回路からの前記内部パルス信号に基づいて時刻を表示部に表示させるための時計回路と、外部から入力される基準パルス信号と前記内部パルス信号との比較により両者の差分を算出する比較回路と、該比較回路により得られた前記差分から前記時計回路の予め設定された所定時間での時間誤差を算出する演算回路と、該演算回路により得られた前記時間誤差に基づいて定期的に時刻を修正すべく前記時計回路を動作させる補正回路とを備える電子時計。
【請求項２】
前記演算回路により算出された前記時間誤差を格納するメモリが設けられ、前記補正回路は前記メモリ内の前記時間誤差に基づいて時刻を修正すべく前記時計回路を動作させ、前記メモリ内の前記時間誤差は前記基準パルス信号の入力により更新可能である請求項１に記載の電子時計。
【発明の詳細な説明】
【０００１】
【発明の属する技術分野】
本発明は電子時計に関し、特に、所定時間毎に自動的に時刻調整を行う電子時計に関する。
【０００２】
【従来の技術】
電子時計の日差精度の調整は、クロックパルス用の内部パルス信号を発生する発振回路に接続されたトリマコンデンサを操作し、このトリマコンデンサの操作による内部パルス信号の周波数の調整により、行うことができる。しかし、トリマコンデンサは比較的高価であり、又、正確な調整に手間取る。
【０００３】
そこで、所定時刻に会わせて修正スイッチを手動操作し、この手動操作時に表示時刻を所定時刻に一致させ、これと同時に、所定時刻までの時間誤差を求め、この時間誤差に応じて誤差が零となるように、基準発振パルス信号をカウントするカウンタへの基準発振パルス信号の入力を増減させ、これにより時間誤差を修正することが提案された（例えば、特許文献１参照。）。
【０００４】
【特許文献１】
特開平３−２１１４９１号公報（第２−４頁、第１図）
【０００５】
【発明が解決しようとする課題】
しかしながら、特許文献１に記載の従来の前記電子時計では、所定の修正時刻に合わせて修正スイッチを操作する必要があることから、所定の修正時刻に合わせた正確な修正操作が容易ではない。
【０００６】
そこで、本発明の目的は、比較的単純な操作によって自動的に時刻調整が可能な電子時計を提供することにある。
【０００７】
【課題を解決するための手段】
請求項１に記載の発明は、発振子を有し、該発振子の電気信号から内部パルス信号を生成する発振回路と、該発振回路からの前記内部パルス信号に基づいて時刻を表示部に表示させるための時計回路と、外部から入力される基準パルス信号と前記内部パルス信号との比較により両者の差分を算出する比較回路と、該比較回路により得られた前記差分から前記時計回路の予め設定された所定時間での時間誤差を算出する演算回路と、該演算回路により得られた前記時間誤差に基づいて定期的に時刻を修正すべく前記時計回路を動作させる補正回路とを備えることを特徴とする。
【０００８】
請求項１に記載の発明では、比較回路が外部の基準パルス信号と電子時計の内部パルス信号との差分を求め、演算回路が前記差分から所定の時間毎、例えば１２時間毎の時間誤差を算出する。補正回路は、例えば１２時間毎に、この時間誤差による時刻誤差を修正するように、時計回路の動作を修正する。従って、従来のような高価なトリマコンデンサを発振子に組み込むことなく、またこのトリマコンデンサの微妙な調整を行うことなく、しかも修正操作を所定時刻に合わせて操作することなく、現時刻を合わせた後、単に外部の基準パルス信号を入力することにより、内部パルス信号の周波数変動によるその後の時刻誤差が自動的に修正される。
【０００９】
請求項２に記載の発明は、請求項１に記載の発明において、前記演算回路により算出された時間誤差を格納するメモリが設けられ、前記補正回路は前記メモリ内の前記時間誤差に基づいて時刻を修正すべく前記時計回路を動作させ、前記メモリ内の前記時間誤差は前記基準パルス信号の入力により更新可能であることを特徴とする。
【００１０】
請求項２に記載の発明では、基準パルス信号が入力されると、演算回路により求められた時間誤差がメモリに格納される。補正回路は、外部より改めて基準パルス信号の入力を受けない限り、メモリ内の計時誤差に基づいて定期的に時計回路の動作を修正する。また、新たな基準パルス信号が入力されると、比較回路がこの新たな基準パルス信号と電子時計の内部パルス信号との差分を求め、演算回路が前記差分から所定の時間毎の時間誤差を算出する。新たな時間誤差が算出されると、メモリに格納されていた時間誤差が、この新たに算出した時間誤差で書き換えられる。この時間誤差の更新により、内部パルス信号のずれに応じた新たな時間誤差に基づいて内部パルス信号の周波数変動による時刻誤差が定期的に修正される。
【００１１】
【発明の実施の形態】
以下、本発明の特徴を図示の実施の形態に沿って詳細に説明する。
【００１２】
本発明に係る電子時計１０は、図１に示すように、水晶振動子のような発振子１１が接続された発振回路１２と、該発振回路により生成される内部パルス信号の供給を受ける時計回路１３および比較回路１４と、時計回路１３からの制御信号の制御下で時刻を表示する表示器１５と、比較回路１４の出力を受ける演算回路１６と、該演算回路からの演算結果によって動作する補正回路１７とを備える。
【００１３】
発振子１１には、従来よく知られた、容量を固定された位相補償コンデンサ１１ａ、１１ｂが接続されており、これにより位相を適正に補正された基本電気振動が発振回路１２に入力される。発振回路１２は、発振子１１の基本振動に基づいて例えば３２．７６８Ｋｈｚの内部パルス信号を生成する。この内部パルス信号を受ける時計回路１３は、内部パルス信号の分周により生成されたクロックパルスを計時する計時部１３ａと、該計時部からの計時信号を受ける制御部１３ｂとを備える。制御部１３ｂは計時部１３ａからの計時信号に応じて表示器１５に制御信号を出力する。表示器１５は、制御部１３ｂにより、該制御部からの制御信号に応じた時刻を表示するように、その動作の制御を受ける。
【００１４】
比較回路１４には、電子時計１０に取り外し可能に基準パルス発生器１８が接続される。基準パルス発生器１８は、発振回路１２が生成する内部パルス信号に等しい周波数の基準パルス信号を発生する。この基準パルス発生器１８は発振回路１２に比較して高精度に製造されており、基準パルス発生器１８の基準パルス信号の周波数は、発振回路１２におけるほどに環境温度および湿度等の環境変化の影響を受けることはなく、ほぼ一定に保たれる。
【００１５】
比較回路１４は、これに基準パルス発生器１８からの基準パルス信号が入力されると、該基準パルス信号と発振回路１２からの内部パルス信号とを比較し、その周波数の差分を演算回路１６に出力する。
【００１６】
演算回路１６は、基準パルス信号と内部パルス信号との周波数のずれについての差分を比較回路１４から受けると、この差分から、計時部１３ａでの計時によって得られる時間に換算したときの時間のずれである前記差分に応じた時間誤差を算出する。すなわち、前記差分により、例えば１２時間での時間誤差が何秒になるかを算出する。この演算回路１６により求められた時間誤差のデータは、メモリ１９に格納される。
【００１７】
比較回路１４は、該比較回路に基準パルス発生器１８が接続される毎に、この接続された基準パルス発生器１８からの基準パルス信号と発振回路１２からの内部パルス信号との差分を演算回路１６に出力する。従って、演算回路１６は、基準パルス発生器１８が比較回路１４に接続される毎に、新たに時間誤差を算出し、この新たな時間誤差によって、メモリ１９内に格納された時間誤差データは順次更新される。
【００１８】
補正回路１７は、メモリ１９内に格納された時間誤差データに基づいて、所定時間後における表示器１５での表示時刻を修正すべく時計回路１３を動作させる。
【００１９】
たとえば、１２時間での時間誤差が３秒の進みであると、補正回路１７は時計回路１３での１２時間の計時に３秒の遅れを与えるように該時計回路の動作を修正する。逆に、１２時間での時間誤差が３秒の遅れであると、補正回路１７は時計回路１３での１２時間の計時に３秒の進みを持つように該時計回路の動作を修正する。
【００２０】
このような時計回路１３の動作の修正は、時計回路１３の計時部１３ａが発振回路１２から供給される内部パルス信号をカウントするときのカウント数の間引きあるいはカウント数の水増しによる追加により実現することができる。これに代えて、所定時間後における制御部１３ｂから表示器１５への制御信号の修正によっても時計回路１３に時刻修正動作を与えることができる。
【００２１】
本発明に係る電子時計１０では、環境温度或いは湿度等の環境変化によって発振回路１２からの内部パルス信号の周波数が変化しても、基準パルス発生器１８からの外部基準パルスを比較回路１４に入力することにより、発振回路１２からの内部パルス信号が外部基準パルス信号と比較され、これにより外部基準パルス信号により示される正規の周波数からの内部パルス信号ずれが差分として求められる。比較回路１４により差分が求められると、演算回路１６は比較回路１４により求められた前記差分から所定時間における時間誤差を算出する。この算出によって求められた時間誤差データがメモリ１９に格納されると、このメモリ１９内の時間誤差データに基づいて補正回路１７が所定時間後の時刻が修正されるように時計回路１３の動作を制御する。
【００２２】
従って、従来のように所定時刻に合わせて修正操作を行うことなく、任意の現時刻を合わせた後、単に基準パルス発生器１８を電子時計１０に接続するのみで、新たに基準パルス信号が入力されるまでは、メモリ１９に格納された時間誤差データに基づいて、所定時間毎に時刻誤差を自動的に修正することができる。
【００２３】
また、発振回路１２の内部パルス信号に新たな周波数変動が生じて誤差が生じたとき、基準パルス発生器１８からの外部基準パルス信号を入力することによりメモリ１９内の時間誤差データを適正なデータで更新することができ、この更新データに基づく時刻誤差の修正が行われることから、適正な時刻修正を必要に応じて適宜行うことができる。
【００２４】
前記したところでは、内部パルス信号および該基準パルス信号として３２．７６８Ｋｈｚのパルス信号を用いたが、これらパルス信号の周波数は適宜選択することができる。
【００２５】
【発明の効果】
請求項１に記載の発明によれば、外部からの基準パルス信号と電子時計の内部パルス信号との比較により求められた差分から所定の時間での時間誤差が算出され、この時間誤差を修正するように、時計回路が動作することから、従来のような高価なトリマコンデンサを発振子に組み込むことなく、またこのトリマコンデンサの微妙な調整を行うことなく、さらに所定時刻に合わせた困難な修正操作の必要はなく、任意の現時刻を合わせた後、単に外部の基準パルス信号を入力することで、内部パルス信号の周波数変動による時刻誤差を自動的かつ定期的に修正することができる。
【００２６】
請求項２に記載の発明によれば、新たな基準パルス信号が入力される毎に、この新たな基準パルスと電子時計の内部パルス信号との差分から時間誤差が求められ、この時間誤差が更新されることから、更新された時間誤差に基づいて内部パルス信号の変動による時刻誤差を自動的かつ定期的に修正することができる。
【図面の簡単な説明】
【図１】本発明に係る電子時計の回路を示すブロック図である。
【符号の説明】
１０  電子時計
１１  発振子（水晶振動子）
１２  発振回路
１３  時計回路
１４  比較回路
１５  表示部（表示器）
１６  演算回路
１７  補正回路
１８  基準パルス発生器
１９  メモリ
【図１】
2004347457.tif 000003